(57)【特許請求の範囲】
【請求項１】
寝床上の被測定者の身体の動きを検出する体動検出手段と、
前記被測定者の入力操作を受けて、前記被測定者が前記寝床に移動した第１のタイミングを取得する手段と、
前記被測定者の入力操作を受けて前記被測定者が睡眠に入る意思を持った第２のタイミングを取得する、または、予め記憶された第２のタイミングを取得する手段と、
前記第２のタイミング以降に前記体動検出手段によって検出された前記被測定者の身体の動きの検出結果に基づいて、前記被測定者の睡眠状態を判別する判別手段と、
前記第１のタイミングから前記第２のタイミングまでの第１の時間と、前記判別手段により判別された前記被測定者の睡眠状態とを表示またはその表示データを表示装置へ送信する表示手段とを備える、睡眠評価装置。
【請求項２】
前記第１のタイミングから前記第２のタイミングまでの期間の前記被測定者の行動の種類を示す情報を受付ける手段をさらに備え、
前記表示手段は、前記第１の時間および前記睡眠状態に加えて、前記被測定者の行動の種類を特定する情報について、表示または表示データの送信を行なう、請求項１に記載の睡眠評価装置。
【請求項３】
前記判別手段は、前記被測定者の睡眠のレベルをさらに判別し、
前記表示手段はさらに、前記第２のタイミングから前記被測定者の睡眠のレベルが特定のレベルに達するまでの時間である第２の時間について、表示または表示データの送信を行なう、請求項１または２に記載の睡眠評価装置。
【請求項４】
前記表示手段は、複数の日付毎にそれぞれの前記第１の時間および前記睡眠状態について、表示または表示データの送信を行なう、請求項１〜３のいずれか１項に記載の睡眠評価装置。
【請求項５】
前記体動検出手段は、定常的に、前記寝床上の被測定者の身体の動きを検出しており、
前記判別手段は、特定した前記第２のタイミングから、前記被測定者の睡眠状態の判別を開始する、請求項１〜４のいずれか１項に記載の睡眠評価装置。
【請求項６】
前記被測定者の入力操作を受けて、前記被測定者が起床した第３のタイミングを取得する手段をさらに備え、
前記表示手段は、さらに前記第３のタイミングについて、表示または表示データの送信を行なう、請求項１〜５のいずれか１項に記載の睡眠評価装置。
【請求項７】
前記体動検出手段が検出した前記被測定者の身体の動きの検出結果を含む体動情報を記憶する体動情報記憶手段と、
前記体動情報の削除を指示する前記被測定者の入力操作を受ける手段とをさらに備え、
前記体動情報記憶手段は、前記体動情報の削除の指示を受けて、前回の前記第３のタイミングが取得された後に記憶された体動情報を削除する、請求項６に記載の睡眠評価装置。
【請求項８】
前記体動検出手段が検出した前記被測定者の身体の動きの検出結果を含む体動情報を記憶する体動情報記憶手段と、
中断を指示する前記被測定者の入力操作を受ける手段とをさらに備え、
前記体動情報記憶手段は、前記中断の指示を受けて、前回の前記第３のタイミングが取得された後に記憶された体動情報を削除するとともに、前記体動情報の取得を停止する、請求項６に記載の睡眠評価装置。
【請求項９】
寝床上の被測定者の身体の動きを検出する体動検出手段を備えた睡眠評価装置において実行される睡眠評価方法であって、
前記被測定者の入力操作を受けて、前記被測定者が前記寝床に移動した第１のタイミングを取得するステップと、
前記被測定者の入力操作を受けて、前記被測定者が睡眠に入る意思を持った第２のタイミングを取得する、または、予め記憶された第２のタイミングを取得するステップと、
前記第２のタイミング以降に前記体動検出手段によって検出された前記被測定者の身体の動きの検出結果に基づいて、前記被測定者の睡眠状態を判別するステップと、
前記第１のタイミングから前記第２のタイミングまで算出された第１の時間と、判別された前記被測定者の睡眠状態とを表示または表示装置へ表示データを送信するステップとを備えた、睡眠評価方法。
【発明の詳細な説明】
【技術分野】
【０００１】
この発明は睡眠評価装置および睡眠評価方法に関し、特に、非侵襲で被測定者の睡眠状態を評価する睡眠評価装置および睡眠評価方法に関する。
【背景技術】
【０００２】
従来から、睡眠を計測する装置に関し、種々の技術が開示されている。
たとえば、特許文献１（特開２００９−１６０００１号公報）には、寝具の下に配置されるセンサを用いて被測定者の体動の時間変化を計測し、当該計測結果に基づいて、被測定者の睡眠状態やその質等を判断する装置が開示されている。
【先行技術文献】
【特許文献】
【０００３】
【特許文献１】特開２００９−１６０００１号公報
【発明の概要】
【発明が解決しようとする課題】
【０００４】
しかしながら、当該装置によれば、被測定者が寝具の上に移動した後のすべての計測結果が睡眠状態やその質等の判断の材料として利用される。このことから、たとえば、被測定者が、寝床の上で、入眠前に読書やストレッチなどの軽い運動をした場合、被測定者は自発的に睡眠状態に入らないでいるにもかかわらず、当該装置は、入眠困難である旨の判断結果を出してしまう等、被測定者の睡眠状態を誤って評価する事態が想定される。
【０００５】
本発明は、睡眠評価装置における被測定者の睡眠状態の評価の精度を向上させることを目的とする。
【課題を解決するための手段】
【０００６】
本発明に従った睡眠評価装置は、寝床上の被測定者の身体の動きを検出するための体動検出手段と、体動検出手段の検出結果に基づいて、被測定者の睡眠状態を判別するための判別手段と、被測定者の入眠前の情報を入力する入力手段とを備え、入眠前の情報と体動検出結果に基づいて、睡眠状態を判別する。
【０００７】
好ましくは、体動検出手段は、定常的に、寝床上の被測定者の身体の動きを検出し、入眠前の情報は、被測定者が睡眠前の状態を終了する意思を持ったタイミングを特定する情報を含み、判別手段は、特定したタイミングから、判別を開始する。
【０００８】
好ましくは、体動検出手段が検出した体動情報を記憶する体動情報記憶手段をさらに備え、体動情報記憶手段に記憶された体動情報に基づいて、睡眠状態を判別し、入力手段は、体動情報記憶手段から体動情報の記憶を削除する対象となる期間を特定する情報の入力をさらに受付け、体動情報記憶手段は、削除対象期間に対応する身体の動きを特定する情報の記憶を削除する。
【０００９】
好ましくは、判別手段による判別を行なう期間を特定する情報を記憶するための期間情報記憶手段をさらに備え、判別手段は、期間情報記憶手段に記憶された情報によって特定される期間において、判別を実行する。
【００１０】
好ましくは、体動検出手段が検出した体動情報を記憶するための体動情報記憶手段をさらに備え、入力手段は、体動検出手段による検出の中断を指示する情報の入力をさらに受付け、体動検出手段は、入力手段に対して検出の中断を指示する情報が入力されたことに応じて、体動の検出を中断し、体動情報記憶手段は、入力手段に対して検出の中断を指示する情報が入力されたことに応じて、当該情報の入力以前の体動情報の記憶を削除する。
【００１１】
好ましくは、入眠前の情報は、被測定者が寝床に位置した第１のタイミングを特定する情報と、被測定者が睡眠前の状態を終了する意思を持った第２のタイミングを特定する情報とを含み、第１のタイミングから第２のタイミングまでの時間である第１の時間を算出する演算手段をさらに備える。
【００１２】
好ましくは、体動検出手段による検出結果に基づいて、第１のタイミングを特定する。
好ましくは、判別手段は、睡眠状態における睡眠のレベルをさらに判別し、演算手段は、第２のタイミングから睡眠のレベルが特定のレベルに達するまでの時間である第２の時間をさらに算出し、第１の時間と第２の時間を表示装置に表示させる表示制御手段をさらに備える。
【００１３】
好ましくは、入力手段は、第１のタイミングから第２のタイミングまでの期間の被測定者の行動の種類を特定するための情報の入力をさらに受付け、表示制御手段は、第１の時間と第２の時間とともに、行動の種類を、表示装置に表示させる。
【００１４】
本発明に従った睡眠評価方法は、寝床上の被測定者の身体の動きを検出するための体動検出手段を備えた睡眠評価装置において実行される睡眠評価方法であって、体動検出手段によって寝床上の被測定者の身体の動きを検出するステップと、被測定者の入眠前の情報の入力を受け付けるステップと、入眠前の情報と、体動検出手段による体動の検出結果とに基づいて、被測定者の睡眠状態を判別するステップとを備える。
【発明の効果】
【００１５】
本発明によれば、判別手段は、入力手段に入力された被験者の入眠前の情報に基づいて、被測定者の睡眠状態を判別する。
【００１６】
これにより、判別手段が、被測定者が睡眠状態の評価の対象とすることを希望する期間以外の期間を当該評価の対象とする事態を極力回避でき、これにより、睡眠評価装置による睡眠状態の評価の精度を向上できる。
【図面の簡単な説明】
【００１７】
【図１】本実施の形態にかかる睡眠評価装置（以下、評価装置と略する）の外観の具体例を示す図である。
【図２】評価装置の側面を表わした概略図である。
【図３】評価装置の斜め上方から見た外観の概略図である。
【図４】評価装置のハードウェア構成の具体例を示すブロック図である。
【図５】評価装置の使用例を説明する図である。
【図６】評価装置において睡眠のレベルを判別するための機能構成の具体例を示すブロック図である。
【図７】ドップラーセンサを利用した体動センサからのセンサ信号の具体例を示す図である。
【図８】（Ａ）は、図７に表わされた波形から分離された呼吸波形の具体例を示す図であり、（Ｂ）は、図７に表わされた波形から分離された体動波形の具体例を示す図である。
【図９】（Ａ）は、図６の判別部での判別結果の具体例を示す図であり、（Ｂ）は、（Ａ）の判別結果の補正の具体例を示す図である。
【図１０】睡眠のレベルの表示の第１の具体例を示す図である。
【図１１】睡眠のレベルの表示の第２の具体例を示す図である。
【図１２】就寝前時間、睡眠潜時時間、および、入眠前行動の種類の表示の具体例を示す図である。
【図１３】睡眠のレベルに対応した、象徴的なセンサ信号の示す波形の具体例を示す図である。
【図１４】睡眠のレベルに対応した、象徴的なセンサ信号の示す波形の具体例を示す図である。
【図１５】睡眠のレベルに対応した、象徴的なセンサ信号の示す波形の具体例を示す図である。
【図１６】睡眠のレベルに対応した、象徴的なセンサ信号の示す波形の具体例を示す図である。
【図１７】睡眠のレベルに対応した、象徴的なセンサ信号の示す波形の具体例を示す図である。
【図１８】睡眠のレベルに対応した、象徴的なセンサ信号の示す波形の具体例を示す図である。
【図１９】睡眠のレベルに対応した、象徴的なセンサ信号の示す波形の具体例を示す図である。
【図２０】図１の評価装置におけるボタン群に対する操作に基づく制御内容を説明するための図である。
【図２１】睡眠判別処理のフローチャートである。
【図２２】ボタン操作処理のフローチャートである。
【発明を実施するための形態】
【００１８】
以下に、図面を参照しつつ、本発明の実施の形態について説明する。以下の説明では、同一の部品および構成要素には同一の符号を付してある。それらの名称および機能も同じである。
【００１９】
＜外観＞
図１は、本実施の形態にかかる睡眠レベル評価装置（以下、評価装置と略する）１００の外観の具体例を示す図である。また、図２は評価装置１００の側面を表わした概略図であり、図３は、斜め上方から見た外観の概略図である。
【００２０】
図１〜図３を参照して、評価装置１００は、一例として、台座に対して直方体またはその角が丸みを帯びて処理された縦長の形状の筐体が立てられた外観を有する。
【００２１】
図１を参照して、台座表面には操作用のボタン群１０が配備され、台座に立てられた筐体の表面には表示部２０とが配備される。また、その筐体内部には、センサ３０と、制御部４０とが内包される。
【００２２】
ボタン群１０は、削除ボタン１０Ａと、入床ボタン１０Ｂと、おやすみボタン１０Ｃと、中断ボタン１０Ｄと、データ処理ボタン１０Ｅとを含む。各ボタンの機能については、後述する。
【００２３】
以降の説明において、筐体の表示部２０が設けられた面を評価装置１００の正面とも称する。
【００２４】
評価装置１００は無線または有線での通信を行なうための通信部５０を有する。通信部５０は、一例として、筐体の、台座と逆側の端部よりに設けられる。そして、通信部５０を用いて、パーソナルコンピュータ（以下、ＰＣ）や携帯電話機などの表示装置２００に接続されて、表示装置２００に対して表示データを出力する。
【００２５】
＜ハードウェア構成＞
図４は、評価装置１００のハードウェア構成の具体例を示すブロック図である。
【００２６】
図４を参照して、ボタン群１０、センサ３０、表示部２０、および通信部５０は、いずれも、制御部４０に接続される。
【００２７】
ボタン群１０は被測定者に操作されることによる操作信号を制御部４０に対して出力する。
【００２８】
センサ３０は体動センサ３１を含み、センサ信号を制御部４０に対して出力する。体動センサ３１としては、好適にはドップラーセンサが用いられる。以降の説明では、体動センサ３１がドップラーセンサであるものとする。他には、超音波センサが用いられてもよい。
【００２９】
ドップラーセンサである体動センサ３１は、図示しない、測定用の電波を出力するための出力部と、受信部とを有する。受信部は、出力部から出力した電波のうち被測定体表面から反射した電波を受信し、出力した電波からの周波数の変化に応じたセンサ信号を出力する。
【００３０】
なお、体動検出手段として体動センサ３１に替えてカメラを備えて、制御部４０において画像解析を行なうことで体動を検出してもよい。
【００３１】
制御部４０は、全体制御を行なうためのＣＰＵ４１と、ＣＰＵ４１で実行されるプログラムなどを記憶するためのメモリ４２とを含む。
【００３２】
制御部４０は、ＣＰＵ４１がメモリ４２に記憶されている表示用のプログラムを実行し、入力された操作信号およびセンサ信号を用いて演算を実行することで、後述する睡眠のレベルを判別し、睡眠のレベルを表示するための表示データを生成する。また、制御部４０は、後述する睡眠潜時時間の算出等の種々の処理を実行する。
【００３３】
制御部４０は、表示データに基づく画面表示を表示部２０に行なうための表示制御を実行する。さらに、表示データを通信部５０から表示装置２００に対して送信するための通信制御を実行する。
【００３４】
通信部５０は、たとえば赤外線通信やＢｌｕｅｔｏｏｔｈ（登録商標）を利用した通信などの無線通信で、直接、表示装置２００と通信するものであってもよいし、インターネット接続機能を有して、インターネットを介して表示装置２００と通信するものであってもよい。
【００３５】
さらに、通信部５０は無線ＬＡＮ（Local  Area  Network）のサーバ機能を有して、無線ＬＡＮ接続でアクセスした表示装置２００に対して、たとえばＨＴＭＬ（Hyper  Text  Markup  Language）などのマークアップ言語で表現された後述の表示データを送信するようにしてもよい。
【００３６】
また、評価装置１００には、タイマ６０が備えられている。タイマ６０は、制御部４０に接続されている。ＣＰＵ４１は、タイマ６０から時刻情報を取得して、後述する入床時刻等の各時刻を特定し、メモリ４２に記憶する。
【００３７】
＜使用例＞
図５は、評価装置１００の使用例を説明する図である。
【００３８】
図５を参照して、評価装置１００は、一例として就寝中の被測定者の近傍（たとえば枕元）に設置される。その状態で測定動作が行なわれることで、ドップラーセンサである体動センサ３１から電波が出力される。
【００３９】
体動センサ３１から出力された電波は就寝中の被測定者の主に胸元、肩、などの辺りに到達し、そこからの反射波の周波数の変化がセンサ信号として制御部４０に出力される。制御部４０は、この周波数の変化に基づいて、就寝中の被測定者の胸の動きや寝返りなどの体動を検出し、その検出結果に基づいて睡眠状態として、睡眠のレベルを判別する。
【００４０】
＜機能構成＞
図６は、評価装置１００において睡眠のレベルを判別するための機能構成の具体例を示すブロック図である。図６に表わされる各機能は、主に、ＣＰＵ４１がメモリ４２に記憶されるプログラムを実行することによってＣＰＵ４１上に形成されるものであるが、少なくとも一部が電気回路などのハードウェア構成によって形成されてもよい。
【００４１】
図６を参照して、評価装置１００は、センサ３０からのセンサ信号の入力を受付けるための入力部４０１と、そのセンサ信号に基づいて単位期間の睡眠状態を判別するための第１判別部４０２と、単位期間ごとの判別結果に基づいて、当該単位期間が所定数連続してなる一定期間の睡眠状態のレベルを判別するための第２判別部４０９と、睡眠状態のレベルに基づいて当該一定期間の表示態様を決定するための決定部４０３と、決定された表示態様に基づいて睡眠のレベルを表示する表示データを生成するための生成部４０４と、表示データをメモリ４２に格納する処理を実行するための格納部４０５と、メモリ４２から表示データを読み出すための読出部４０６と、読み出された表示データを表示部２０に表示させる処理を実行するための表示制御部４０７と、通信部５０で表示装置２００に対して送信する処理を実行するための通信制御部４０８とを含む。
【００４２】
また、評価装置１００は、ボタン群１０に含まれる各種ボタンからの入力情報を処理するための入力情報処理部４１０を含む。
【００４３】
図６の例では、入力部４０１が、センサ３０からのセンサ信号を直接受け取るものとしているが、センサ信号はメモリ４２の所定領域に一時的に記憶され、入力部４０１は表示のための動作を行なう際にそこから読み出すようにしてもよい。
【００４４】
＜睡眠のレベルの判別方法＞
ここで、第２判別部４０９での睡眠のレベルの判別方法について説明する。
【００４５】
図７は、ドップラーセンサである体動センサ３１からのセンサ信号の具体例を示す図である。図７は、被測定者の表面からの反射波の周波数の変化量であるセンサ信号で表わされる波長の時間変化を表わしている。
【００４６】
図７を参照して、センサ信号で表わされる波形は、被測定者の呼吸に伴う体動（胸の動き）を表わす波形（以下、呼吸波形とも称する）と、寝返りなどの呼吸以外の体動（身体の動き）を表わす波形（以下、体動波形とも称する）とを含む合成波である。
【００４７】
図８（Ａ）および図８（Ｂ）は、図７に表わされた波形から分離された呼吸波形および体動波形の具体例を示す図である。
【００４８】
安定した睡眠状態であるときのヒトの呼吸波形は周期性を有する。従って、呼吸波形の周期性が所定範囲内である場合、すなわち、その周期のばらつきが所定範囲内であるときには、概ね、安定した睡眠状態であると言える。
【００４９】
また、安定した睡眠状態であるとき、寝返りなどの呼吸以外の体動は生じ難い。従って、体動波形の振幅が所定範囲内であるときには概ね安定した睡眠状態であると言え、所定範囲以上となった場合には体動が生じているために安定した睡眠状態ではないと言える。
【００５０】
従って、ある期間については、その期間における呼吸波形の周期性や呼吸以外の体動の大きさに基づいて被測定者が安定した睡眠状態にあるか否かを判別することができる。なお、この例では、呼吸波形と体動波形との両波形を用いて判別するものとしているが、少なくとも一方の波形のみを用いてもよい。
【００５１】
図６に示されるように、第１判別部４０２は、判別部４０２１と補正部４０２２とを含む。
【００５２】
判別部４０２１は、図７に示された入力されたセンサ信号に基づく波形を、図８（Ａ）および図８（Ｂ）に示される呼吸波形と体動波形とに分離する。そして、それぞれの波形に基づいて、予め規定された単位期間（図７の期間ｔ１，ｔ２，ｔ３，ｔ４，ｔ５）ごとに、被測定者が安定した睡眠状態にあるか否かを判別する。ここでの単位期間は、たとえば３０秒や１分程度が挙げられる。すなわち、呼吸波形の単位期間ｔ１における周期のばらつきが予め設定されているしきい値よりも小さい場合には、単位期間ｔ１における呼吸波形に周期性が見られると判断する。また、体動波形の単位期間ｔ１における振幅が予め設定されているしきい値よりも大きいか小さいかを判断する。
【００５３】
そして、判別部４０２１は、単位期間ｔ１における呼吸波形に周期性があり、かつ体動波形の振幅がしきい値よりも小さい場合に、単位期間ｔ１の当該被測定者の睡眠状態を睡眠状態（Ｓ）であると判別する。一方、判別部４０２１は、単位期間ｔ１における呼吸波形に周期性がなく、かつ体動波形の振幅がしきい値よりも大きい場合に、単位期間ｔ１の当該被測定者の睡眠状態を覚醒状態（Ｗ）であると判別する。なお、いずれか一方の条件のみが満たされている場合、つまり、単位期間ｔ１における呼吸波形に周期性があるか、または、体動波形の振幅がしきい値よりも小さい場合に、覚醒状態と判別するようにしてもよい。
【００５４】
また、判別部４０２１は、体動センサ３１から出力された電波が届く範囲における被測定者の有無を判別しても良い。
【００５５】
このような判別は、たとえば、センサ信号に基づく波形を上記したように呼吸波形と体動波形に分離した後、呼吸波形または体動波形のいずれかにおいて、当該波形の振幅が特定の値よりも小さい状態が特定の時間（たとえば、３０秒間）継続した場合に、判別部４０２１は、上記範囲に被測定者が存在しないと判断する。そして、それ以外の場合には、上記範囲に被測定者が存在していると判断する。なお、判別部４０２１は、被測定者の有無の状態を、被測定者が存在すると判断した場合には状態（Ｅ）と判別し、被測定者が存在しないと判断した場合には状態（Ｎ）と判別する。
【００５６】
図９（Ａ）は、判別部４０２１での判別結果の具体例を示す図である。図９（Ａ）に示されるように、判別部４０２１は、入力されたセンサ信号に基づく波形の単位期間ごとに、安定した睡眠状態であるか覚醒状態であるかを判別する。
【００５７】
しかしながら、睡眠状態において体動が生じたり、覚醒状態において体動がなく呼吸が安定していたりする単位期間が生じる場合もある。また、被測定者以外の移動物からの反射波を受信して、その結果、体動波形にノイズが生じる場合もある。そこで、好ましくは、補正部４０２２は、隣接する単位期間の判別結果に応じて、当該単位期間の判別結果を補正する。
【００５８】
一例として、図９（Ｂ）に、図９（Ａ）に示された判別結果の補正の具体例を示す。図９（Ａ）および図９（Ｂ）を参照して、補正部４０２２は、同一の判別結果である単位期間の連続数が所定数以下であり、かつ、当該判別結果と反対の判別結果である単位期間がこの連続した単位期間の前後に所定数以上連続している場合、その連続した単位期間の判別結果を、反対の判別結果となるように補正する。
【００５９】
具体的には、判別部４０２１は図９（Ａ）の単位期間ｔ７について覚醒状態（Ｗ）と判別しているが、覚醒状態（Ｗ）と判別された単位期間は単位期間ｔ７に対して連続しておらず（すなわち、連続数が１であり）、かつ、単位期間ｔ７の前後において睡眠状態（Ｓ）と判別された単位期間がある程度連続している。判別結果が逆の同様の状態は単位期間ｔ１３についても見られる。
【００６０】
仮に、対象とする単位期間の判別結果の連続数のしきい値（第１のしきい値）を２、その前後の単位期間の判別結果の連続数のしきい値（第２のしきい値）を２とすると、単位期間ｔ７については、覚醒状態（Ｗ）と判別された単位期間の連続数１が上記第１のしきい値よりも小さく、かつ、単位期間ｔ７の前後の判別結果の逆の単位期間の連続数３が上記第２のしきい値よりも大きい、という条件を満たしている。従って、補正部４０２２は、単位期間ｔ７の判別結果を、反対の判別結果である睡眠状態（Ｓ）となるように補正する。
【００６１】
同様にして、補正部４０２２は、単位期間ｔ１３の判別結果も、反対の判別結果である覚醒状態（Ｗ）となるように補正する。
【００６２】
次に、第２判別部４０９は、上記単位期間が連続してなる一定期間について、各単位期間の判別結果に基づいて、睡眠のレベルを判別する。ここでの単位期間は、たとえば５分や１０分程度が挙げられる。
【００６３】
ここで、睡眠のレベルとは、呼吸の安定具合と、体動の有無、連続性とから定義される睡眠の深さのレベルを指す。具体例として、
レベル１：体動がなく、呼吸が安定している睡眠状態、
レベル２：単発的な体動がある睡眠状態、
レベル３：連続的な体動がある睡眠状態、
レベル４：連続的な体動が続く覚醒状態、
レベル５：完全な覚醒状態、
などが挙げられる。
【００６４】
第２判別部４０９は、各レベルの判別値として、一定期間を構成する各単位期間の判別結果の連続数や、比率を記憶しておく。一例として、図１３は上記レベル１の象徴的なセンサ信号の示す波形の具体例、図１４は上記レベル２の象徴的なセンサ信号の示す波形の具体例、図１５および図１６は上記レベル３の象徴的なセンサ信号の示す波形の具体例、図１７は上記レベル４の象徴的なセンサ信号の示す波形の具体例、図１８は上記レベル５の象徴的なセンサ信号の示す波形であって特に入床時のセンサ信号の示す波形、および図１９は上記レベル５の象徴的なセンサ信号の示す波形であって特に離床時のセンサ信号の示す波形を表わす図である。第２判別部４０９は、これらセンサ信号の示す波形に表わされた判別結果の連続数や、比率を、各レベルの判別値として予め記憶しておく。そして、図９（Ｃ）は、各一定期間ごとの睡眠のレベルの判別結果の具体例を表わす図である。すなわち、図９（Ｂ）および図９（Ｃ）を参照して、第２判別部４０９は、上記一定期間を構成する単位期間の連続について、判別結果の連続数と記憶している判別値とを比較すること、および、判別結果の比率と判別値とを比較すること、によって、当該一定期間の睡眠のレベルを判別する。
【００６５】
＜睡眠のレベルの表示例＞
評価装置１００では、ある時間帯について、その時間帯に属する上記一定期間ごとに、当該一定期間を表わすセグメントを睡眠のレベルに応じた表示態様とし、当該セグメントを時間経過に沿って並べて表示する。
【００６６】
図１０は、睡眠のレベルの表示の第１の具体例を示す図である。
図１０を参照して、第１の例として、上記一定期間を表わすセグメントを時間経過に沿って並べ、それぞれのセグメントを当該一定期間の睡眠のレベルに応じた色で表示する例を示している、なお、図１０においては、表示の都合上、睡眠のレベルに応じた表示色がハッチングの違いによって表現されている。これは、後述する第２の表示例でも同様である。
【００６７】
第１の例による表示を行なうために、決定部４０３は睡眠のレベルに応じた表示色を予め記憶しておき、上記一定期間ごとに、判別された睡眠のレベルに応じた表示色を決定する。そして、生成部４０４は、その一定期間に対応したセグメントを決定された表示色とする表示データを生成する。
【００６８】
この表示データに基づく表示処理が表示制御部４０７においてなされることで、または、通信制御部４０８の制御によって通信部５０から送信された表示装置２００においてなされることで、その表示部において、図１０のような表示が実現される。
【００６９】
図１０においては、たとえば一日の時間帯に属する一定期間ごとに、当該一定期間における被測定者の睡眠のレベルが対応した色で表示される。そのため、ユーザは、被測定者の一定期間ごとの睡眠のレベルの、ある時間帯における推移を、一目で把握することができる。
【００７０】
ここで、ユーザとは、被測定者と同一であっても良いし、被測定者の睡眠に関する情報を分析する医師等の被測定者と異なる者であっても良い。
【００７１】
さらに、好ましくは、生成部４０４は、図１０に示されるような表示画面を表示させるために、複数の連続した日における上記一定期間を表わすセグメントをその時間軸を同じとして日ごとに並べて表わした表示データを生成する。これにより、ユーザは、被測定者の一定期間ごとの睡眠のレベルの、ある時間帯における推移を、連続した日ごとに容易に比較することができる。これは、後述する第２の表示例でも同様である。
【００７２】
なお、図１０の例では、たとえば一週間などの連続した日の測定結果を並べて表示する例を表わしているが、連続した日に限定されず、たとえば毎週月曜など、特定の日の測定結果を並べて表示するようにしてもよい。これもまた、後述する第２の表示例でも同様である。
【００７３】
図１１は、睡眠のレベルの表示の第２の具体例を示す図である。
図１１を参照して、第２の例として、上記一定期間を表わすセグメントを時間経過に沿って並べ、さらに、時間軸に直交する方向に睡眠のレベルを表わす軸を設定し、それぞれのセグメントを、少なくとも当該軸の睡眠のレベルに応じた位置に表示する例を示している。より好ましくは、図１１に示されるように、さらに、各セグメントを、当該一定期間の睡眠のレベルに応じた色でも表示する。
【００７４】
第２の例による表示を行なうために、睡眠のレベルを表わす軸上の当該セグメントの表示位置を決定する。そして、生成部４０４は、その一定期間に対応したセグメントを決定された表示位置とする表示データを生成する。表示色も併せて決定する場合には、第１の例と同様にして決定する。
【００７５】
この表示データに基づく表示処理が表示制御部４０７においてなされることで、または、通信制御部４０８の制御によって通信部５０から送信された表示装置２００においてなされることで、その表示部において、図１１のような表示が実現される。
【００７６】
図１１においては、たとえば一日の時間帯に属する一定期間ごとに、当該一定期間を表わすセグメントが、時間軸に直交する睡眠のレベルを示す軸に対して、被測定者の睡眠のレベルに応じた位置で表示される。そのため、ユーザは、被測定者の一定期間ごとの睡眠のレベルの、ある時間帯における推移を、一目で、かつ直感的に把握することができる。
【００７７】
なお、図１０、図１１の例では、一定期間ごとにセグメントで表現し、当該セグメントを時間経過に沿って並べた表示を行なうものとしている。しかしながら、セグメントを用いた表示には限定されず、予め規定された時間帯全体を棒グラフとして、対応した時間を睡眠のレベルに応じた表示色とした表示、などの他の表示であってもよい。
【００７８】
＜動作の概要＞
評価装置１００は、図５を参照して説明したように、寝床（図５では「ベッド」が例示）において就寝中の被測定者の身体の動きを検出し、そして、検出した動きに基づいて、当該被測定者の睡眠のレベルを判別する。そして、判別結果は、図１０または図１１に示されたように、表示装置に表示される。
【００７９】
ここで、被測定者は、必ずしも、寝床へと移動した直後に睡眠に入ることを予定していない場合がある。たとえば、被測定者は、寝床へと移動した後、所定の時間、読書などの行動をした後、睡眠に入ることを予定している場合がある。本明細書では、上記した「読書」のような、当該寝床に移動した後の睡眠以外の行動を「入眠前行動」という。そして、評価装置１００は、さらに、入眠前行動を含めた、被測定者が寝床に移ってから就寝するまでの期間の情報についても、管理し、表示等をすることができる。
【００８０】
以下に、入眠前行動を含めた情報の管理のための、評価装置１００の動作について説明する。
【００８１】
評価装置１００では、被測定者は、寝床へと移動してきたときに、入床ボタン１０Ｂを操作する。また、被測定者は、評価装置１００に対して、入眠前行動の種類を入力する。また、被測定者は、寝床へ移動した後、入眠前行動を行なった後、睡眠に入る意思を持ったタイミングでおやすみボタン１０Ｃを操作する。つまり、被測定者は、たとえば、寝床へ移動した後、読書等の入眠前行動を行なった後、「さぁ、寝よう。」と思った時点で、おやすみボタン１０Ｃを操作する。
【００８２】
ＣＰＵ４１は、各睡眠期間についての、入床ボタン１０Ｂが操作された時刻（入床時刻）、および、おやすみボタン１０Ｃが操作された時刻（計測開始時刻）を、メモリ４２に記憶する。「睡眠期間」については、後述する。
【００８３】
また、評価装置１００では、被測定者は、起床時に再度おやすみボタン１０Ｃを操作する。ＣＰＵ４１は、各睡眠期間についての、再度おやすみボタン１０Ｃが操作された時刻（計測終了時刻）をメモリ４２に記憶する。
【００８４】
本実施の形態では、初めにおやすみボタン１０Ｃが操作されてから再度おやすみボタン１０Ｃが操作されるまでの期間、つまり、計測開始時刻から計測終了時刻までの期間を、睡眠期間という。
【００８５】
表１は、各睡眠期間についての、入眠前行動に関する表示を行なうために記憶されている情報の一例を模式的に示す図である。
【００８６】
【表１】
0005803169.tif 000002
【００８７】
表１を参照して、メモリ４２には、入床時刻、計測開始時刻、および、計測終了時刻が記憶されている。なお、各時刻に関し、「／」の前は年月日を表し、後は時刻を表す。
【００８８】
また、ＣＰＵ４１は、各睡眠期間において初めて睡眠のレベルが「レベル３」に到達した時刻を、レベル３到達時刻としてメモリ４２に記憶する。レベル３到達時刻においても、「／」の前は年月日を表し、後は時刻を表す。
【００８９】
そして、ＣＰＵ４１は、計測開始時刻からレベル３到達時刻までの所要時間を算出し、睡眠潜時時間としてメモリ４２に記憶する。
【００９０】
また、ＣＰＵ４１は、入床時刻から計測開始時刻までの所要時間を算出し、就寝前時間としてメモリ４２に記憶する。
【００９１】
さらに、ＣＰＵ４１は、各睡眠期間について、ボタン群１０等の操作を受け付けることにより、入眠前行動の種類を特定する情報の入力を受け付けて、入眠前行動種類情報としてメモリ４２に記憶する。
【００９２】
＜入眠前情報の表示＞
ＣＰＵ４１は、表１を参照して説明したような情報に基づいて、各睡眠期間について、就寝前時間および睡眠潜時時間を、入眠前行動の種類とともに、表示装置に表示させる。図１２は、このような表示がなされる画面の一例を示す図である。
【００９３】
図１２に示されるように、各睡眠期間について、入眠前行動の種類（ヨガ、読書、等）と、就寝前時間と、睡眠潜時時間とが、関連付けられて記憶されている。なお、図１２の表示において、日付とは、たとえば計測開始時刻が属する日である。
【００９４】
図１２に示されるような表示により、被測定者は、入眠前行動と睡眠潜時時間との関係や、就寝前時間と睡眠潜時時間との関係を、容易に理解でき、理想の態様で睡眠がとれるように自己の行動（たとえば、入眠前行動の種類）を選択することができる。
【００９５】
なお、睡眠潜時時間とともに表示されるのは、入眠前行動の種類または就寝前時間の少なくとも一方であればよい。
【００９６】
＜睡眠判別処理の動作フロー＞
図２１は、評価装置１００における、被測定者の睡眠状態を判別するための処理（睡眠判別処理）のフローチャートである。当該処理は、たとえば、評価装置１００における電源投入時に開始される。なお、当該処理における動作は、ＣＰＵ４１がメモリ４２に記憶される表示用のプログラムを読み出して実行し、図６に示された各機能を発揮することによって実現される。
【００９７】
睡眠判別処理では、ＣＰＵ４１において、計測フラグ、信号取得停止フラグの各フラグのＯＮ／ＯＦＦが設定される。評価装置１００の初期状態では、計測フラグ、信号取得停止フラグの状態は、いずれもＯＦＦに設定される。各フラグの機能については、後述する。
【００９８】
図２１を参照して、評価装置１００に電源が投入されると、ＣＰＵ４１は、ステップＳ１０で、評価装置１００の初期化を行ない、ステップＳ２０へ処理を進める。
【００９９】
ステップＳ２０では、ＣＰＵ４１は、信号取得停止フラグの状態がＯＦＦであるか否かを判断し、ＯＦＦであると判断するとステップＳ３０へ処理を進める。一方、ＯＮであれば、ＯＦＦにされるまでステップＳ２０で待機する。
【０１００】
ステップＳ３０では、ＣＰＵ４１は、体動センサ３１を用いたセンサ信号の取得を開始して、ステップＳ４０へ処理を進める。
【０１０１】
ステップＳ４０では、ＣＰＵ４１は、計測フラグの状態がＯＮであるか否かを判断し、ＯＮであると判断するとステップＳ５０へ処理を進める。なお、ＯＦＦであれば、ＯＮにされるまでステップＳ４０で待機する。
【０１０２】
ステップＳ５０では、ＣＰＵ４１は、計測対象が体動センサ３１の検出範囲内に存在するか否か、つまり、体動センサ３１から出力された電波が届く範囲に被測定者が居るか否かを判別する。この判別は、たとえば、上記したように、体動センサ３１から出力される信号の波形を呼吸波形と体動波形に分離した後、呼吸波形または体動波形のいずれかにおいて、当該波形の振幅が特定の値よりも小さい状態が特定の時間（たとえば、３０秒間）継続したか否かに基づいて実現される。そして、被測定者が存在すると判断した場合、つまり、状態（Ｅ）と判別した場合には、ＣＰＵ４１は、ステップＳ６０へ処理を進める。なお、被測定者が存在しないと判断した場合、つまり、状態（Ｎ）と判別した場合には、ステップＳ６０の処理を行なうことなく、ステップＳ７０へ処理を進める。
【０１０３】
ステップＳ６０では、ＣＰＵ４１は、睡眠のレベルを判別して、ステップＳ７０へ処理を進める。なお、ステップＳ６０では、ＣＰＵ４１は、たとえば、ステップＳ５０で得られた呼吸波形と体動波形とのそれぞれについて、予め設定された単位期間ごとの呼吸波形の周期性および／または体動波形における振幅の大きさに基づいて、単位期間ごとに、その期間における睡眠状態を判別する。さらに、当該判別結果を、隣接する単位期間の判別結果に応じて補正する。さらに、上記単位期間が連続してなる一定期間について、各単位期間の判別結果に基づいて、睡眠のレベルを判別する。そして、得られた睡眠のレベルを、当該睡眠のレベルが対応する時刻情報とともに、メモリ４２に記憶する。
【０１０４】
ステップＳ７０では、ＣＰＵ４１は、信号取得停止フラグの状態がＯＮであるか否かを判断し、ＯＮであると判断するとステップＳ８０へ処理を進める。一方、ＯＦＦであると判断すると、ステップＳ９０へ処理を進める。
【０１０５】
ステップＳ８０では、ＣＰＵ４１は、体動センサ３１を用いたセンサ信号の取得を停止させて、ステップＳ２０へ処理を戻す。
【０１０６】
ステップＳ９０では、ＣＰＵ４１は、計測フラグの状態がＯＦＦであるか否かを判断し、ＯＦＦであると判断するとステップＳ４０へ処理を戻す。一方、ＯＮであると判断すると、ステップＳ５０へ処理を進める。
【０１０７】
以上説明した睡眠判別処理では、信号取得停止フラグの状態がＯＦＦであることを条件として、体動センサ３１を用いてセンサ信号が取得される（ステップＳ２０，３０，７０，８０）。当該フラグの状態がＯＮである場合には、当該センサ信号の取得がなされない。なお、体動センサ３１は、たとえば、センサ信号の取得がなされる期間中のみ、測定の電波を出力するように制御されることが好ましい。
【０１０８】
また、睡眠判別処理では、計測フラグの状態がＯＮであることを条件として、睡眠のレベルの判別が行なわれる（ステップＳ４０，６０，９０）。当該フラグの状態がＯＦＦである場合には、睡眠のレベルの判別は行なわれない。
【０１０９】
＜ボタン操作処理の動作フロー＞
評価装置１００では、睡眠判別処理等の各種の処理と並行して、ボタン群１０を構成する各種ボタンに対する操作を受け付ける。図２２は、ボタン群１０に対する操作に対応して動作するための処理（ボタン操作処理）のフローチャートである。以下、図２２を参照して、当該処理の内容を説明する。
【０１１０】
ボタン操作処理において、ＣＰＵ４１は、まずステップＳＡ１０で、ボタン群１０の中のいずれかのボタンについて操作がなされたか否かを判断し、操作がなされたと判断すると、ステップＳＡ２０へ処理を進める。
【０１１１】
ステップＳＡ２０では、ＣＰＵ４１は、操作されたボタンの種類に対応した処理内容を実行して、ステップＳＡ１０へ処理を戻す。
【０１１２】
ここで、ステップＳＡ２０において実行される、ボタンごとの処理内容を説明する。
操作されたボタンが入床ボタン１０Ｂであった場合には、ＣＰＵ４１は、その時点でのタイマ６０の計時時刻を、入床時刻としてメモリ４２に記憶する。
【０１１３】
操作されたボタンがおやすみボタン１０Ｃであった場合には、ＣＰＵ４１は、計測フラグの状態のＯＮ／ＯＦＦを入れ替える。つまり、当該フラグの状態がＯＮであるときにおやすみボタン１０Ｃが操作されると、ＣＰＵ４１は、当該フラグの状態をＯＦＦにする。一方、当該フラグの状態がＯＦＦであるときにおやすみボタン１０Ｃが操作されると、ＣＰＵ４１は、当該フラグの状態をＯＮにする。
【０１１４】
操作されたボタンがデータ処理ボタン１０Ｅであった場合には、ＣＰＵ４１は、入眠前行動の種類を特定する情報の入力を受け付ける。この場合、たとえば、データ処理ボタン１０Ｅが操作されたことに応じて、予めメモリ４２に記憶された入眠前行動の種類の候補を表示部２０に表示させる。
【０１１５】
候補としては、たとえば、「読書」「音楽鑑賞」「ストレッチ」「ヨガ」「その他」が挙げられる。そして、ＣＰＵ４１は、ボタン群１０に含まれる各種ボタンの操作に基づき、当該候補の中から入眠前行動の種類を特定する情報の入力を受け付ける。
【０１１６】
操作されたボタンが削除ボタン１０Ａであった場合には、ＣＰＵ４１は、メモリ４２に記憶された体動センサ３１から出力される信号波形の中の、前回計測フラグの状態がＯＦＦにされた時点から削除ボタン１０Ａが操作された時点までの期間に対応する信号波形の記憶を削除する。
【０１１７】
操作されたボタンが中断ボタン１０Ｄであった場合には、削除ボタン１０Ａが操作されたときと同様に、メモリ４２中の上記信号波形の中の、前回計測フラグの状態がＯＦＦにされた時点から中断ボタン１０Ｄが操作された時点までの期間に対応する信号波形の記憶を削除するとともに、さらに、信号取得停止フラグの状態をＯＮにする。
【０１１８】
＜動作フローのまとめ＞
評価装置１００では、睡眠判別処理と並行してボタン操作処理が実行される。
【０１１９】
これにより、おやすみボタン１０Ｃに対する１回目の操作に応じて、睡眠のレベルの判別が開始される（ステップＳ４０〜６０）。そして、おやすみボタン１０Ｃに対する２回目の操作に応じて、睡眠のレベルの判別が終了する（ステップＳ９０，４０）。おやすみボタン１０Ｃに対する２回目の操作により、睡眠期間が終了する。これにより、さらにおやすみボタン１０Ｃが操作された場合には、１回目の操作として取り扱われる。
【０１２０】
また、評価装置１００では、削除ボタン１０Ａが操作されると、最新の睡眠期間が終了してから当該操作がなされた時点までの、体動センサ３１によって検出された信号波形の記憶が消去される。なお、評価装置１００では、ステップＳ３０において体動センサ３１が検出する信号波形の取得が開始されてからステップＳ８０において当該信号の取得が停止されるまで、取得された波形はメモリ４２に記憶されるものとする。そして、上記のような削除ボタン１０Ａの操作に対して記憶を消去する処理が実行されることにより、被測定者が評価装置１００に記憶を残すことを希望しない期間についての信号波形の記憶を、被測定者の自発的な操作によって、消去することができる。
【０１２１】
さらに、評価装置１００では、中断ボタン１０Ｄが操作されると、最新の睡眠期間が終了してから当該操作がなされた時点までの、体動センサ３１によって検出された信号波形の記憶が消去されるとともに、体動センサ３１による信号の検出も停止される（ステップＳ８０）。この場合、体動センサ３１による信号の検出は、再度中断ボタン１０Ｄが操作されて信号取得停止フラグの状態がＯＦＦにされるか（ステップＳ２０でＹＥＳ）、または、評価装置１００が初期化されて当該フラグの状態がＯＦＦされる（ステップＳ１０）まで、再開されない。
【０１２２】
＜実施例の効果＞
以上の動作が評価装置１００において行なわれることにより、睡眠状態の評価の対象とすることを希望される期間以外の期間が当該評価の対象とされる事態を極力回避でき、これにより、睡眠評価装置による睡眠状態の評価の精度を向上できる。
【０１２３】
また、評価装置１００では、ＣＰＵ４１は、ボタン群１０に含まれる各種のボタンへの操作に基づき、上記したように、睡眠のレベルの判別や体動センサ３１による信号の検出について、制御を実行した。
【０１２４】
当該制御の内容を、図２０を参照してより具体的に説明する。
図２０（Ａ）および図２０（Ｂ）は、体動センサ３１から制御部４０に入力される信号の時間変化を、ボタン群１０の各種ボタンに対する操作のタイミングとともに示す図である。
【０１２５】
まず、図２０（Ａ）を参照して、評価装置１００に対する電源投入の開始後、時刻Ｔ１で１回目の中断ボタン１０Ｄに対する操作がなされると、信号取得停止フラグの状態がＯＮとされ、体動センサ３１から制御部４０への信号の入力（メモリ４２への記憶）が停止される。
【０１２６】
そして、時刻Ｔ２で、再度中断ボタン１０Ｄに対する操作がなされると、信号取得停止フラグの状態がＯＦＦとされ、体動センサ３１から制御部４０への信号の入力（メモリ４２への記憶）が再開する。
【０１２７】
つまり、評価装置１００では、中断ボタン１０Ｄに対する操作がなされなければ、定常的に（ステップＳ１０（図２１）の後、中断されることなく）、体動センサ３１から制御部４０に信号が入力され、入力された信号はメモリ４２に記憶される。
【０１２８】
そして、時刻Ｔ３で、入床ボタン１０Ｂに対する操作がなされると、時刻Ｔ３が入床時刻としてメモリ４２に記憶される。
【０１２９】
そして、時刻Ｔ４で、おやすみボタン１０Ｃに対する操作がなされると、計測フラグの状態がＯＮとされ、睡眠のレベルの判別が開始される。
【０１３０】
そして、時刻Ｔ５で、再度おやすみボタン１０Ｃに対する操作がなされると、計測フラグの状態がＯＦＦとされ、睡眠のレベルの判別が終了する。
【０１３１】
そして、時刻Ｔ６で、中断ボタン１０Ｄに対する操作がなされると、信号取得停止フラグの状態がＯＮとされ、体動センサ３１から制御部４０への信号の入力（メモリ４２への記憶）が停止される。
【０１３２】
さらに、中断ボタン１０Ｄに対する操作がなされたことにより、直前に計測フラグがＯＦＦされた時点（図２０（Ａ）の時刻Ｔ５）から中断ボタン１０Ｄに対する操作がなされた時点（図２０（Ａ）の時刻Ｔ６）までの、メモリ４２における体動センサ３１の検出信号が削除される。
【０１３３】
なお、本実施の形態では、信号取得停止フラグの状態がＯＮとされると、体動センサ３１によって検出された信号のメモリ４２への記憶だけでなく、制御部４０への当該信号の入力が停止されていたが、少なくとも、メモリ４２に記憶されることが停止されれば良い。
【０１３４】
図２０（Ｂ）を参照して、信号取得停止フラグの状態がＯＦＦであり、かつ、計測フラグの状態がＯＮである状態で、時刻Ｔ１１でおやすみボタン１０Ｃに対する操作がなされると、計測フラグの状態がＯＦＦとされ、睡眠のレベルの検出が終了する。
【０１３５】
その後、時刻Ｔ１２で削除ボタン１０Ａに対する操作がなされると、直前に計測フラグがＯＦＦとされた時点（図２０（Ｂ）中の時刻Ｔ１１）から削除ボタン１０Ａに対する操作がなされた時点（時刻Ｔ１２）までの、メモリ４２における体動センサ３１の検出信号の記憶が削除される。
【０１３６】
以上説明したように、本実施の形態では、中断ボタン１０Ｄまたは削除ボタン１０Ａが操作されると、直前の計測フラグがＯＦＦされた時点から各ボタンに対する操作がなされる時点までの、メモリ４２における体動センサ３１の検出信号の記憶が削除される。ここで、直前の計測フラグがＯＦＦされた時点からではなく、各ボタンが操作される前のすべて期間に対応する検出信号の記憶が削除されても良い。
【０１３７】
また、本実施の形態における、睡眠のレベルの判別は、体動センサ３１の検出信号の取得と同時に行なわれても良いし、または、図１０〜図１２等に示された各種の表示をする旨の指示がなされた時点で行なわれても良い。さらに、メモリ４２における体動センサ３１の検出信号が他のコンピュータに送信され、当該他のコンピュータによって処理されることによって睡眠のレベルの判別が行なわれても良い。
【０１３８】
また、本実施の形態では、ＣＰＵ４１は、データ処理ボタン１０Ｅを含むボタン群１０内のボタンが操作されることにより、入眠前行動の種類を特定する情報の入力を受け付けた。
【０１３９】
なお、入眠前行動の種類を特定する情報は、評価装置１００に接続された入力装置に対する操作に基づいて入力されるなど、他の装置から入力されても良い。
【０１４０】
そして、評価装置１００では、ＣＰＵ４１は、おやすみボタン１０Ｃが操作されることに応じて、被測定者の睡眠のレベルを判別する。この例では、被測定者は、おやすみボタン１０Ｃを操作することにより、判別手段による状態の判別を開始するタイミングを特定するための情報（タイミング特定用情報）として、睡眠前の状態を終了させる意思が発生した旨の情報を、入力する。また、ＣＰＵ４１は、被測定者の睡眠のレベルを判別することにより、被測定者の睡眠状態および覚醒状態の別の判別する。なお、たとえば、上記したレベル４またはレベル５と判別することは、被測定者の状態を覚醒状態と判別することに相当する。また、上記したレベル１〜レベル３のいずれかであると判別することは、被測定者の状態を睡眠状態と判別することに相当する。これにより、被測定者は、寝床の上に移動した後、自発的に睡眠状態に入ろうとする時点で入力手段に指示を入力し、判別手段による判別を開始させることができる。したがって、評価装置１００では、被測定者が睡眠状態の評価（つまり、睡眠レベルの判別）の対象とすることを希望する期間以外の期間を当該評価の対象とする事態を極力回避でき、これにより、評価装置１００による睡眠状態の評価の精度を向上できる。
【０１４１】
また、評価装置１００では、ボタン群１０の各種のボタンは、必ずしも被測定者に操作されなくとも良い。
【０１４２】
また、評価装置１００では、おやすみボタン１０Ｃに対する操作のタイミングに応じて、睡眠のレベルの判別の開始／停止のタイミングが調整された。なお、睡眠のレベルの判別の開始または停止の少なくとも一方のタイミング（開始時刻、停止時刻）は、それぞれメモリ４２に予め記憶されていてもよい。そして、ＣＰＵ４１は、メモリ４２に記憶された各時刻が到来すると、計測フラグの状態のＯＮ／ＯＦＦを切り替えて、睡眠のレベルの判別を開始／停止する。
【０１４３】
ただし、メモリ４２に記憶される「開始時刻」が到来すると、ＣＰＵ４１は、計測フラグの状態をＯＮに切り替えるものとする。つまり、開始時刻が到来したときにすでに計測フラグの状態がＯＮであれば、このタイミングではＣＰＵ４１は、当該フラグの状態の切替を行なわない。
【０１４４】
また、メモリ４２に記憶される「停止時刻」が到来すると、ＣＰＵ４１は、計測フラグの状態をＯＦＦに切り替えるものとする。つまり、停止時刻が到来したときにすでに計測フラグの状態がＯＦＦであれば、このタイミングではＣＰＵ４１は、当該フラグの状態の切替を行なわない。
【０１４５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４６】
１０  ボタン群、１０Ａ  削除ボタン、１０Ｂ  入床ボタン、１０Ｃ  おやすみボタン、１０Ｄ  中断ボタン、１０Ｅ  データ処理ボタン、２０  表示部、３０  センサ、３１  体動センサ、４０  制御部、４１  ＣＰＵ、４２  メモリ、５０  通信部、１００  評価装置、２００  表示装置、４０１  入力部、４０２  第１判別部、４０３  決定部、４０４  生成部、４０５  格納部、４０６  読出部、４０７  表示制御部、４０８  通信制御部、４０９  第２判別部、４０２１  判別部、４０２２  補正部。
【図１】
0005803169.tif 000003
【図２】
0005803169.tif 000004
【図３】
0005803169.tif 000005
【図４】
0005803169.tif 000006
【図５】
0005803169.tif 000007
【図６】
0005803169.tif 000008
【図７】
0005803169.tif 000009
【図８】
0005803169.tif 000010
【図９】
0005803169.tif 000011
【図１０】
0005803169.tif 000012
【図１１】
0005803169.tif 000013
【図１２】
0005803169.tif 000014
【図１３】
0005803169.tif 000015
【図１４】
0005803169.tif 000016
【図１５】
0005803169.tif 000017
【図１６】
0005803169.tif 000018
【図１７】
0005803169.tif 000019
【図１８】
0005803169.tif 000020
【図１９】
0005803169.tif 000021
【図２０】
0005803169.tif 000022
【図２１】
0005803169.tif 000023
【図２２】
0005803169.tif 000024